(57)【特許請求の範囲】
【請求項１】
装飾体を有する可動装飾装置を備えた遊技機であって、
装飾体は、発光体を設けたベース部材に対して回転可能に軸支された可動部材を備えており、
発光体は、該発光体から発せられた光の少なくとも一部が可動部材の回転面方向に沿って可動部材の回転軸から離れる方向に向かうとともに可動部材の回転に応じて該可動部材の少なくとも一部を通過するように配置されており、
可動部材は、該可動部材の所定位置に、可動部材の回転半径方向に沿った方向を斜めに横切る面を少なくとも一部に形成してなる傾斜面部と、
傾斜面部の外側輪郭形状を扇形に形成した複数の扇状部とを備えており、
複数の扇状部は、互いの扇状部の広がり距離が異なるように形成されており、
可動部材の回転に応じて、傾斜面部が、発光体から発せられた光の少なくとも一部の進路に交差するとともに該進路の交差した光の少なくとも一部を反射して反射光を形成させる、ことを特徴とする遊技機。
【請求項２】
装飾体を有する可動装飾装置を備えた遊技機であって、
装飾体は、発光体を設けたベース部材に対して回転可能に軸支された可動部材を備えており、
発光体は、該発光体から発せられた光の少なくとも一部が可動部材の回転面方向に沿って可動部材の回転軸から離れる方向に向かうとともに可動部材の回転に応じて該可動部材の少なくとも一部を通過するように配置されており、
可動部材は、該可動部材の所定位置に、可動部材の回転半径方向に沿った方向を斜めに横切る面を少なくとも一部に形成してなる傾斜面部と、中心飾り部と外延飾り部とを備えており、
可動部材の回転に応じて、傾斜面部が、発光体から発せられた光の少なくとも一部の進路に交差するとともに該進路の交差した光の少なくとも一部を反射して反射光を形成させ、
中心飾り部は、可動部材の裏面側に凹部を形成するとともに、該凹部の中央に可動部材の回転軸をなす軸部を突設しており、
外延飾り部は、光透過性を有するとともに中心飾り部の外周端位置を基端として可動部材の回転軸から離れていく方向に向かって拡がる面部を形成し、前記基端側の端面を可動部材の凹部側に向けて露出させ、前記面部の外端縁に沿って傾斜面部を形成しており、
ベース部材は、軸部に向かい合う位置に軸部と嵌まり合う軸受けを設けており、軸受けの周囲に発光体を該基端に対して前後方向の位置を揃えて設けており、
且つ、発光体の発光面が、可動部材の回転に応じて外延飾り部の基端に向き合う、ことを特徴とする遊技機。
【発明の詳細な説明】
【技術分野】
【０００１】
本発明は、装飾体を有する可動装飾装置を備えた遊技機に関する。
【背景技術】
【０００２】
パチンコ機などの遊技機には、遊技の演出を高めるため、様々な形状の装飾体などといった様々な飾り部材を有する可動装飾装置が遊技盤に取り付けられている。可動装飾装置は、適宜、遊技盤に対して揺動可能に設けられているものが提案されている。このとき、可動装飾装置の揺動は、上下左右の動作のほか、所定の位置を軸とした回転動作などで適宜実現される。このような可動装飾装置によれば、装飾体などの飾り部材と揺動動作とがあいまって遊技機における遊技の演出性が高められる。
【０００３】
さて、装飾体についてみるに、回転など様々な駆動状態を形成可能な部材を有するものや、発光ダイオード（ＬＥＤ：Ｌｉｇｈｔ  Ｅｍｉｔｔｉｎｇ  Ｄｉｏｄｅ）や白熱電球などの発光体を設けて発光部を形成したものが知られている。装飾体に対しては、遊技の演出の高度化に伴い、遊技の演出をよりインパクトのあるものとすることができ、遊技者の遊技機への興味を引き寄せる効果を得ることができるようなものが要請されている。そこで、装飾体として、発光部を回転可能に構成した可動部材を有するものが提案されている。
【０００４】
特許文献１には、ＬＥＤを光源として実装した基板をモータで回転駆動する光源回転装置が記載されている。光源回転装置は、光源を搭載した基板を回転させることで、遊技の演出として光源回転装置の新しい発光パターンを実現して、遊技機に新しい装飾態様を実現しようとするものである。光源回転装置は、２種類のコイルによる電磁誘導にて光源への電力供給を行うことにより、電力供給源と光源とを配線で繋ぐことなく光源の発光を行うように構成されている。
【先行技術文献】
【特許文献】
【０００５】
【特許文献１】特開２００４−３１３４００号公報
【発明の概要】
【発明が解決しようとする課題】
【０００６】
しかしながら、特許文献１の光源回転装置は、光源や電子部品の搭載された基板自体を回転させることを必須とするものであることから、回転時の振動等により電子部品自体の損傷が生じやすくなる虞がある。しかも、光源回転装置では、その回転時においても光源や基板への電力供給を維持するべく電磁誘導を生じさせる機構を備えることが必須とされる。すなわち、光源回転装置では、複数のコイルや各種電子部品を組み合わせた構造を構築して電磁誘導を生じさせる機構を形成することが必要とされるのである。したがって、この光源回転装置では、電子部品の設置数が増大してその構造が複雑化するうえ、装置重量も増加してしまう虞が大きくなる。
【０００７】
本発明は、装飾体を備えた可動装飾装置を遊技盤に対して回転可能に取り付けられた遊技機として、電子部品自体を回転駆動させる必要性を抑制し更に電子部品の設置数の増加を抑制するとともに構造の複雑化をも抑制しつつ、新しい発光パターンを実現して、遊技機における新しい装飾態様の実現を可能とする装飾体を備えた可動装飾装置を取り付けられた遊技機を提供すること、を目的とする。
【課題を解決するための手段】
【０００８】
本発明は、（１）装飾体を有する可動装飾装置を備えた遊技機であって、
装飾体は、発光体を設けたベース部材に対して回転可能に軸支された可動部材を備えており、
発光体は、該発光体から発せられた光の少なくとも一部が可動部材の回転面方向に沿って可動部材の回転軸から離れる方向に向かうとともに可動部材の回転に応じて該可動部材の少なくとも一部を通過するように配置されており、
可動部材は、該可動部材の所定位置に、可動部材の回転半径方向に沿った方向を斜めに横切る面を少なくとも一部に形成してなる傾斜面部と、
傾斜面部の外側輪郭形状を扇形に形成した複数の扇状部とを備えており、
複数の扇状部は、互いの扇状部の広がり距離が異なるように形成されており、
可動部材の回転に応じて、傾斜面部が、発光体から発せられた光の少なくとも一部の進路に交差するとともに該進路の交差した光の少なくとも一部を反射して反射光を形成させる、ことを特徴とする遊技機、
（２）装飾体を有する可動装飾装置を備えた遊技機であって、
装飾体は、発光体を設けたベース部材に対して回転可能に軸支された可動部材を備えており、
発光体は、該発光体から発せられた光の少なくとも一部が可動部材の回転面方向に沿って可動部材の回転軸から離れる方向に向かうとともに可動部材の回転に応じて該可動部材の少なくとも一部を通過するように配置されており、
可動部材は、該可動部材の所定位置に、可動部材の回転半径方向に沿った方向を斜めに横切る面を少なくとも一部に形成してなる傾斜面部と、中心飾り部と外延飾り部とを備えており、
可動部材の回転に応じて、傾斜面部が、発光体から発せられた光の少なくとも一部の進路に交差するとともに該進路の交差した光の少なくとも一部を反射して反射光を形成させ、
中心飾り部は、可動部材の裏面側に凹部を形成するとともに、該凹部の中央に可動部材の回転軸をなす軸部を突設しており、
外延飾り部は、光透過性を有するとともに中心飾り部の外周端位置を基端として可動部材の回転軸から離れていく方向に向かって拡がる面部を形成し、前記基端側の端面を可動部材の凹部側に向けて露出させ、前記面部の外端縁に沿って傾斜面部を形成しており、
ベース部材は、軸部に向かい合う位置に軸部と嵌まり合う軸受けを設けており、軸受けの周囲に発光体を該基端に対して前後方向の位置を揃えて設けており、
且つ、発光体の発光面が、可動部材の回転に応じて外延飾り部の基端に向き合う、ことを特徴とする遊技機、
を要旨とする。
【０００９】
なお、本発明においては、（５）傾斜面部をなす面の法線と発光体から発せられた光の進行方向とがなす角度として定められる入射角度が全反射角度よりも大きい、上記（１）から（４）のいずれかに記載の遊技機、
（６）発光体が、可動部材の傾斜面部に対して前後方向の位置を揃えて配置され、且つ、可動部材の回転に伴って傾斜面部の通る領域よりも可動部材の回転軸に近い位置に配置されている、上記（１）から（５）のいずれかに記載の遊技機、
（７）発光体から発せられた光の少なくとも一部の進路が、外延飾り部の基端から外延飾り部の内部を通って傾斜面部に到る進路となっている、上記（１）から（６）のいずれかに記載の遊技機、
（８）遠端縁部は、可動部材の回転半径方向に沿って外側方向に向かって突出した曲線状の輪郭を呈しており、遠端縁部の遠端位置での曲率半径が、可動部材の回転軸と遠端位置までの距離よりも小さい、上記（３）から（７）のいずれかに記載の遊技機、とされていてもよい。
【発明の効果】
【００１０】
本発明によれば、電子部品自体を回転駆動させる必要性を抑制し更に電子部品の設置数の増加を抑制するとともに構造の複雑化をも抑制しつつ、新しい発光パターンを実現して、遊技機における新しい装飾態様の実現を可能とする装飾体を有する可動装飾装置を備えた遊技機を得ることができる。
【図面の簡単な説明】
【００１１】
【図１】本発明の遊技機の実施例の１つを示す概略正面図である。
【図２】本発明の遊技機に取り付けられる遊技盤の実施例の１つを示す概略正面図である。
【図３】本発明の遊技機に取り付けられる遊技盤の実施例の１つを示す概略分解斜視図である。
【図４】図４Ａは、本発明の遊技機に取り付けられる可動装飾装置の実施例の１つを示す概略前方斜視図である。図４Ｂは、本発明の遊技機に取り付けられる可動装飾装置の実施例の１つを示す概略後方斜視図である。
【図５】図５Ａは、装飾体のベース部材を模式的に示す概略正面模式図である。図５Ｂは、ベース部材からセンターケーシング片を取り外したものを正面から見た状態を模式的に示す概略正面模式図である。図５Ｃは、図５Ｂについて下方向から見た状態を模式的に示す概略底面模式図である。
【図６】装飾体の１例を示す概略分解斜視模式図である。
【図７】図７Ａは、装飾体の可動部材を模式的に示す概略正面模式図である。図７Ｂは、装飾体の可動部材を模式的に示す概略底面模式図である。図７Ｃは、装飾体の可動部材を模式的に示す概略背面模式図である。
【図８】装飾体における可動部材と基板とを抜き出すとともに可動部材と基板の位置関係を模式的に示す図であって図７ＡのＩ−Ｉ線断面に相当する断面の概略状態を模式的に示す概略断面模式図である。
【図９】図９Ａは、可動部材の中心飾り部と外延飾り部の領域区分を説明する可動部材の概略背面模式図である。図９Ｂは、可動部材の外延飾り部の面部の構成を模式的に示す可動部材の概略背面模式図である。
【図１０】縦断線及び横断線を模式的に説明する説明図である。
【図１１】図１１Ａは、傾斜面部における光の入射と反射を説明する説明図である。図１１Ｂ、図１１Ｃは、いずれも傾斜面部の１例について法線を説明する説明図である。
【図１２】本発明の遊技機に取り付けられる可動装飾装置の実施例の１つについて、前ベースケーシング片の一部を破断させた状態を模式的に示す部分破断概略正面模式図である。
【図１３】装飾体の１例について部分的に分解した状態を示す概略部分分解底面模式図である。
【図１４】図１４Ａは、装飾体における可動部材と基板とを抜き出して可動部材の背面側から見た模式図であり、可動部材の回転半径方向と基板に設けられた発光体の関係についての１例を模式的に示す図である。図１４Ｂは、装飾体における可動部材と基板とを抜き出して可動部材の背面側から見た模式図であり、可動部材の回転半径方向と基板に設けられた発光体の関係についての他の１例を模式的に示す図である。
【発明を実施するための形態】
【００１２】
本発明の実施形態の１つを図面に基づき詳細に説明する。
【００１３】
本明細書において、遊技機１の前側、後側は、図１，図２，図３からも明らかなように、遊技機１を正面から見た場合のそれぞれ正面側（前面側）、裏面側（後面側）（背面側）を示し、遊技機１に関する上下左右側は、遊技機１を正面に見てそれぞれ上側、下側（底側）、左側及び右側を示すものとする。後述する遊技盤３、可動装飾装置や装飾体等の前後上下左右は、それぞれ遊技機１の前後上下左右に揃えられているものとする。
【００１４】
（遊技機１）
遊技機１は、縦長方形の中枠と外枠を備えるとともに、中枠を外枠に開口前面側に開閉自在に収容しており、中枠は、その内側に遊技盤保持空間を形成するとともに遊技盤保持空間に遊技盤３を保持する。
【００１５】
中枠の前面側には、前後方向に開口した前枠４が装着され、その前枠４の直下位置に下球皿６、打球発射装置７等が装着されている。中枠の後面側には、保護カバーが、中枠に開閉自在に装着されている。保護カバーは、遊技盤３を遊技機１裏面側から覆う。
【００１６】
前枠４には、その開口位置後方側にガラス材が取り付けられて窓部が形成されており、遊技盤３を装着した中枠に対して前枠４が装着されると、ガラス材を取り付けられた前枠４は、遊技盤３を視認可能に覆って、遊技盤３前面を保護する。また、前枠４をなす枠体前面側の下部位置には、意匠を施された上球皿５が設けられて、前枠４の枠体とともに中枠に対して横開き状態で開閉可能に組み付け整合されている。
【００１７】
（遊技盤３）
遊技盤３は、図２に示すように、中枠の遊技盤保持空間の形状に整合するような形状に形成されており、すなわち略正面正方形状の外形輪郭形状を呈している。遊技盤３は、遊技板１０を有し、遊技板１０の前面に、打球発射装置７に連なり遊技球を案内する略円形状の案内レール１１が設けられている。遊技板１０の前面における案内レール１１で囲まれた所定の領域が遊技領域（図２において、遊技領域Ｐ）を形成する。
【００１８】
遊技板１０には、図１から図３に示すように、遊技盤３の遊技領域Ｐの中央部に対応する部分に、大口の開口部９が形成されている。遊技機１においては、この開口部９に対し、複数種類の図柄を変動・停止表示可能な図柄表示装置１９の画面１９ａが臨むようにセンター役物２０が配置される。なお、図１，図２では、便宜上、図柄表示装置１９の表示が省略されている。
【００１９】
また、遊技盤３は、遊技板１０の前面における遊技盤３の遊技領域Ｐ内に対応する領域内にあって開口部９の周囲の所定位置に、普通入賞装置１２、障害釘１３、前面装飾部材１４などといった各種の遊技部材が適宜配置されている。前面装飾部材１４は、意匠を施した各種部材などを適宜組み合わせて構成されてよいほか、ランプやＬＥＤ等の発光体などで発光可能に構成されてよい。なお、前面装飾部材１４が発光可能に構成される場合、前面装飾部材１４の所定位置に光透過性を有する部分を形成するとともに、その部分の後方に発光体が位置するように、図３に示すように発光回路基板８８ａ、８８ｂ、８８ｃが、取り付けられる。発光回路基板８８ａ、８８ｂ、８８ｃは、発光体を適宜位置に搭載されて発光体に対して通電可能に電気回路を形成した基板である。
【００２０】
遊技盤３は、遊技領域Ｐ内の位置であって開口部９の下方には、可変入賞装置である始動入賞装置１５と、開閉板１６によって入賞口の開閉可能なアタッカー装置１７とが、始動入賞装置１５を上側、アタッカー装置１７を下側にして上下方向に並んで遊技板１０に設けられている。
【００２１】
（センター役物２０）
遊技盤３は、図３に示すように、遊技板１０の裏面側に、可動装飾装置１８や図柄表示装置１９を備えたセンター役物２０を設けている。ただし、センター役物２０は、遊技盤３前面側から遊技領域Ｐを見た場合に図柄表示装置１９の画面１９ａが開口部９から視認可能な位置となるように、遊技板１０の後方側の所定の位置に位置決めされて設けられる。
【００２２】
センター役物２０は、開口２１を有する枠部材２２を備えており、枠部材２２の所定位置に飾り部材２３ａ、２３ｂ、２３ｃや、可動装飾装置１８が取り付けられている。また、センター役物２０の後面側から図柄表示装置１９が取り付けられており、センター役物２０を前面から見た場合に、図柄表示装置１９の画面１９ａがセンター役物２０の開口２１に臨んでいる。なお、図柄表示装置１９は、液晶表示装置等を適宜選択可能である。
【００２３】
（可動装飾装置１８）
可動装飾装置１８は、遊技機１の遊技盤３を構成するセンター役物２０における所定位置に取り付けられる。可動装飾装置１８の取り付け位置は、適宜選択可能であるが、図３の例では、可動装飾装置１８は、遊技盤３の正面から見てセンター役物２０の左下に位置するように枠部材２２に取り付けられる。
【００２４】
可動装飾装置１８は、図４、図１２に示すように、枠部材２２に取り付けられる取り付けベース２４と、取り付けベース２４に対して回転揺動可能に取り付けられた可動体２７とを備えてなる。可動体２７は、取り付けベース２４に対して支持軸となる支持軸部３１で回転可能に軸支された揺動アーム３０と、揺動アーム３０の回転半径方向に沿った外側の先端３０ａ側の所定位置に固定された装飾体４０とを備えている。なお、揺動アーム３０は、回転軸Ａｘを中心として回転揺動する。回転軸Ａｘは、支持軸部３１の中心に一致しており、支持軸心となっている。なお、図４において、揺動アーム３０の揺動方向は、矢印Ｆ−Ｂ方向で示している。
【００２５】
（取り付けベース２４）
取り付けベース２４は、枠部材２２への取り付け位置の形状に整合する形状に形成されベース体２５と、ベース体２５と前後方向に組み合わせ可能な外観輪郭形状を呈してベース体２５に前方から向かい合わせに配置される前ベースケーシング片２６を備えるとともに、駆動機構２９を形成する駆動ユニット２８を備えている。
【００２６】
ベース体２５は、後ベースケーシング片３３とこの後ベースケーシング片３３に取り付けられる中ベースケーシング片３４とを備えて構成されており、後ベースケーシング片３３の所定位置に可動体２７を構成する後述の揺動アーム３０の被支持部３２に嵌合する支持軸部３１を形成しているとともに、後ベースケーシング片３３の支持軸部３１の周囲の所定位置に中ベースケーシング片３４を取り付けられて後ベースケーシング片３３と中ベースケーシング片３４で挟まれた空間部分を形成し、その所定の空間部分に、駆動ユニット２８を構成するギア収納部３５を形成している。図４Ａ、図４Ｂの可動装飾装置１８の例では、支持軸部３１の上側から斜め上側にかけて形成される所定の空間部分に、駆動ユニット２８を構成する各種ギアを収納するギア収納部３５が形成される。
【００２７】
駆動ユニット２８は、駆動機構２９を構成するギアとして所定の位置に取り付けられる各種ギアと、モーター３６とを備えるとともに、各種ギアをギア収納部３５に収納して、モーター３６を取り付けられてなる単位構造部分である。その単位構造部分を形成する各種ギアとモーター３６の配置で実現される機構が駆動機構２９をなしている。
【００２８】
取り付けベース２４のベース体２５と揺動アーム３０には、それぞれ所定位置に係止突起３７，３８が設けられており、係止突起３７と係止突起３８との間がコイルバネ等の弾性部材３９で架け渡されている。そして、可動装飾装置１８においては、駆動機構２９のモーター３６の回転に応じて揺動アーム３０が弾性部材３９の伸びる方向（矢印Ｂ）に回転移動し、また、駆動機構２９のモーター３６の回転に応じて弾性部材３９が縮もうとする力が揺動アーム３０に伝えられて揺動アーム３０が弾性部材３９の縮む方向（矢印Ｆ）に回転移動することで、揺動アーム３０の回動揺動が実現される。
【００２９】
（装飾体４０）
装飾体４０は、図４に示すように、ベース部材４１と、ベース部材４１に対して回転可能な可動部材４２を備えて構成される。なお、可動部材４２の回転方向は、図４において矢印Ｓｐで示す。
【００３０】
（ベース部材４１）
ベース部材４１は、図５，図６，図１３に示すように発光体４３を設けている。具体的に、ベース部材４１は、発光体４３を搭載し発光体４３に通電可能に電気回路を形成した基板４４と、図１３に示すように可動部材４２の軸部４５に嵌合して軸部４５を回転させる駆動ギア４６と、駆動ギア４６に咬み合う伝達ギア４７とを有するギアセット４８とその伝達ギア４７を回転駆動させることの可能なモーター４９をと備えた可動部材駆動機構５０と、可動部材４２を支持するとともに基板４４を取り付け固定するケーシング５１とを備えてなる。なお、図１３では、説明の便宜上、駆動ギア４６や伝達ギア４７のギア歯の記載等を省略している。
【００３１】
（ケーシング５１）
ケーシング５１は、可動部材４２に向かい合う前面ケーシング材５２と、前面ケーシング材５２を固定可能な後面ケーシング材５３とを備える。前面ケーシング材５２は、中央に開口部５４を有するセンターケーシング片５５と、センターケーシング片５５の開口部５４に対して内嵌合可能な円筒状の突出部５６を備えその突出部５６の周囲の前面側に意匠を施された前面ベースケーシング片５７とで構成されている。前面ケーシング材５２は、センターケーシング片５５の開口部５４を前面ベースケーシング片５７の突出部５６に嵌合させつつ取り付けられている。前面ケーシング材５２の中央には、突出部５６の開口５６ａにて、可動部材４２の軸部４５に向かい合う位置にその軸部４５の外周面と嵌まり合う貫通した孔が形成されている。この孔が、軸部４５を受ける軸受け５８をなす。そして、図５Ａ，図５Ｂ、図５Ｃに示すように、前面側から前面ケーシング材５２を見た場合に、この軸受け５８をなす孔から、可動部材駆動機構５０の駆動ギア４６が臨む。軸受け５８から臨む駆動ギア４６には、ギア面のうちの一方面６１側に、後述する複数のボス５９と嵌合可能にボス受け穴６０が設けられており、ボス５９とボス受け穴６０の嵌合状態が形成されると、ギアセット４８の駆動に伴う駆動ギア４６の回転に連動して可動部材４２が回転可能となる。このとき、可動部材４２の回転軸Ｒｍは、ボス受け穴６０を設けられた駆動ギア４６の回転軸に一致しており、ベース部材４１を前後方向に見た場合に、回転軸Ｒｍの位置は、おおよそ軸受け５８の中心の位置に一致している。
【００３２】
ケーシング５１には、駆動ギア４６のギア歯に噛み合うように隣り合わせに伝達ギア４７が配置されている。後面ケーシング材５３には伝達ギア４７のギア孔６７の位置に向かい合うように貫通孔６８が形成されており、この貫通孔６８には、ケーシング５１の裏面側から、モーター４９のシャフト６９が通されている。モーター４９は、後面ケーシング材５３の所定位置に配置されて固定部材７０で固定されている。
【００３３】
駆動ギア４６の、上記ギア面の一方面６１とは逆面となる他方面６２側には、被検知体６３が設けられるとともに、駆動ギア４６の後方位置に被検知体６３を検出可能な検出手段６４が設けられていることが、駆動ギア４６の回転状態を適宜検出することができて好ましい。このとき、図６に示すように、検出手段６４は、検出ユニットベース６５に配置されて検出ユニット６６を構成し、検出ユニット６６が駆動ギア４６の後方所定位置に設けられる。このとき、検出手段６４で被検出体６３を検出可能となるように検出ユニットの６６取り付け位置が決めされて配置されている。検知手段６４と被検知体６３の組み合わせは、光学センサとその光学センサで検知可能な被検知構造の組み合わせなど、従前より公知の組み合わせ等を適宜選択可能である。
【００３４】
（基板４４）
ケーシング５１の内部の所定位置には、後述する発光体４３を設けられた基板４４が収納される。図６に示すように、基板４４は、前面ケーシング材５２に収納される。ここで、前面ケーシング材５２は、センターケーシング片５５を前面ベースケーシング片５７に取り付けることで形成されるが、このとき、センターケーシング片５５の前面が、前面ベースケーシング片５７の前面よりも前方に位置するように配置されており、センターケーシング片５５と前面ベースケーシング片５７との間に隙間空間が形成される。そして、センターケーシング片５５と前面ベースケーシング片５７とで形成される隙間空間内に、基板４４が収納される。こうして、図５Ｃに示すように、基板４４は、前後方向に前面ベースケーシング片５７の前面よりも前方に配置される。
【００３５】
基板４４は、前面ケーシング材５２の正面視上、発光体４３がセンターケーシング片５５の外側端面内側の位置にあってセンターケーシング片５５の外方向を向いて光を照射するようにその発光面４３ａを向けるように、配置されている。
【００３６】
ベース部材４１の前面側から見た場合に、上述したように、ケーシング５１には、センターケーシング片５５の外側端面と軸受け５８の間の部分に発光体４３を設けた基板４４が配置されている。基板４４は、ドーナツ状の形状を呈しており、軸受け５８から離れた位置にある基板４４の端縁部７５に沿って端縁部７５よりもやや内側の位置に発光体４３を設けている。発光体４３の設置数は特に限定されるものではないが、図５，図６の例では、軸受け５８の周囲を取り囲むように発光体４３が複数設けられている。ここに、上記したように軸受け５８のほぼ中心に可動部材４２の回転軸Ｒｍが位置していることから、図５等の例では、複数の発光体４３が、可動部材４２の回転軸Ｒｍの周囲を取り囲むように配置される。
【００３７】
（発光体４３）
発光体４３をなす光源としては、白熱電球や発光ダイオード（ＬＥＤ）など特に限定されるものではないが、光の指向性の高いものが好適に選択され、この点でＬＥＤを好ましく選択される。光指向性の低い光源が選択された場合には、光源の周囲に反射板を適宜設けて、光指向性の向上が図られてもよい。
【００３８】
（発光体４３の発光面４３ａ）
発光体４３は、基板４４上において、発光面４３ａから発した光の少なくとも一部の光、好ましくは略全ての光を可動部材４２の回転軸Ｒｍから離れる方向に進行可能に配置されていれば発光面４３ａの向きと形状を限定されるものではなく、図１４Ａ、図１４Ｂに示すように、可動部材４２の背面側から見た場合に、発光面４３ａから生じた光Ｌｗが可動部材４２の回転半径方向Ｒに対して所定角度τを有しつつ可動部材４２の回転軸Ｒｍの位置から可動部材４２の回転面に沿って外側に向かうように発光面４３ａの向きと形状を形成されてよいし、発光面４３ａから生じた光Ｌｗが可動部材４２の回転半径方向Ｒに沿って外側に向かうように発光面４３ａの向きと形状を形成されてよい。なお、発光体４３から発した光Ｌｗの進行方向については、発光面４３ａの中心から発した光の進行方向におおよそ一致しており、図１４Ａ、図１４Ｂ中では、発光体４３から発した光Ｌｗの進行方向は、光Ｌｗの矢印の向きで示される。また、図１４Ｂ中、角度τは、発光体４３の中心を通り回転半径方向Ｒに沿った直線と発光面４３ａの中心から発した光の進行方向Ｌｗとのなす角である。
【００３９】
装飾体４０においては、可動部材４２の回転の程度に応じて可動部材４２内へと進行する光の量にむらが生じる可能性を効率的に抑制する点では、装飾体４０を正面視した場合に、発光面４３ａから生じた光が可動部材４２の回転半径方向Ｒに沿って外側に向かうように発光面４３ａの向きと形状を形成されていることが好ましい。
【００４０】
発光体４３が複数設けられている場合にあっては、上記同様の観点、すなわち可動部材４２の回転の程度に応じて可動部材４２内へと進行する光の量にむらが生じる可能性を効率的に抑制する点では、全ての発光体４３について、角度τが０度または所定の正値として互いに同じ値であることが好ましいが、これに限定されない。一部の発光体４３についての角度τが他の発光体４３についての角度τと異なっていてもよく、すなわち、図１４Ｂに示すように、発光体４３の一部の発光面４３ａの向きが、その他の発光体４３の発光面４３ａと異なる状態とされていてもよい。
【００４１】
（発光体４３と可動部材４２の位置関係）
装飾体４０においては、発光体４３から発せられた光が可動部材４２の回転に応じてその可動部材４２の少なくとも一部を通過するような配置となるように、基板４４を備えたベース部材４１と可動部材４２とが位置決めされている。例えば、図８に示すように、発光体４３の前後方向の位置が、後述する可動部材４２の外延飾り部８０の基端８２に対して揃えられるように位置決めされる。このとき、発光体４３は、その発光面４３ａが可動部材４２の回転に応じて外延飾り部８２の基端８２に向き合うように、配置される。すると、発光体４３から発せられた少なくとも一部の光が、可動部材４２の回転面方向に沿って可動部材４２の回転軸Ｒｍから離れる方向に向かって可動部材４２を通過するように、発光体４３が配置されることとなる。また、この場合、図５や図１４Ａに示すように、発光体４３から発せられた少なくとも一部の光、好ましくは略全ての光が、可動部材４２の回転半径方向Ｒに沿って可動部材４２の回転軸Ｒｍから離れる方向に向かうように、発光体４３が、その発光面４３ａを可動部材４２の外方向に向けて配置されていることが好適である。なお、図８に示す例の場合、発光体４３は、可動部材４２の傾斜面部７８に対しても前後方向の位置を揃えて配置されることとなり、また、図５Ｂ、図５Ｃにも示すように可動部材４２の回転に伴って傾斜面部７８の通る領域よりも可動部材４２の回転軸Ｒｍに近い位置に配置されていることとなる。そして、発光体４３が、そこから発せられた略全ての光が可動部材４２の回転半径方向Ｒに沿って外向きに進行するように配置されると、発光体４３から生じた光を一層効率的に傾斜面部７８に向かわせることができ、傾斜面部７８で一層強い反射光を形成することが容易となる。
【００４２】
（発光体７１）
基板４４には、上記した発光体４３が備えられることに限定されず、更に、発光体７１が、基板４３前面内の所定位置に、ベース部材４１の前面側に向かって光を照射するように追加搭載されてもよい。このような前面側に光を発するように配置された発光体７１が追加して設けられていると、装飾体４０の装飾性をより一層高めることができる。発光体７１と発光体４３との関係については、発光体７１は、発光体４３と同じ発光機構を備えるものであってもよいし、異なる発光機構を備えるものであってもよい。
【００４３】
（基板７２）
ベース部材４１において、ケーシング５１は、前面ケーシング材５２と後面ケーシング材５３とを互いに固定することで形成される。このとき、前面ケーシング材５２の前面ベースケーシング片５７と、後面ケーシング材５３との間には空間が形成される。この空間には、装飾体４０の装飾性を一層高める点で、基板７２が配設されてもよい。ここに、基板７２は、発光体７３を適宜搭載するとともにこの発光体７３に通電可能に電気回路を形成したものである。このとき、装飾体４０の装飾性をより一層高める点で、基板７２は、ケーシング５１に基板７２を配設した状態において、発光体７３の発光面をベース部材４１の前面側に向けるように設置されることが好ましい。なお、発光体７３と発光体４３との関係については、発光体７３は、発光体４３と同じ発光機構を備えるものであってもよいし、異なる発光機構を備えるものであってもよい。このことは、発光体７３と発光体７１との関係についても同様である。
【００４４】
ベース部材４１において、基板７２が、発光面を前面側に向けて発光体７３を適宜設置した状態にて設置されている場合には、前面ベースケーシング片５７には、上記した意匠に限らず、発光体７３から発せられた光を拡散するベース部材側光拡散構造７４が形成されていていることが好ましい。ベース部材側光拡散構造７４としては、従前より公知の構造等を適宜選択可能であるが、図５等に示すような、ギザギザ山形状の構造が選択されてもよい。
【００４５】
（リング部材７６，７７）
なお、ベース部材４１の軸受け５８の前後端部にはリング部材７６，７７設けられてもよい。リング部材７６，７７は、それぞれ樹脂等で構成されてよい。ベース部材４１の軸受け５８の前端部にリング部材７６が設けられていると、ベース部材４１の軸受け５８の前端が可動部材４２の軸部５４の基端で衝突して破損する虞を低減することが可能となる。ベース部材４１の軸受け５８の後端部にリング部材７７が設けられていると、ベース部材４１の軸受け５８の後端が駆動ギア４６と接触してベース部材４１や駆動ギア４６に破損を生じる虞を低減することが可能となる。
【００４６】
（可動部材４２）
可動部材４２は、軸部４５を軸受け５８にはめ込まれて、ベース部材４１に対して回転可能に支持されており、所定位置に後述する傾斜面部７８を備える。具体的に、図７の例に示すように、可動部材４２は、互いに繋がっている中心飾り部７９と外延飾り部８０とを備えてなり、外延飾り部８０に傾斜面部７８を備えている。
【００４７】
（中心飾り部７９）
中心飾り部７９は、その表面側に意匠を施されており、その裏面側に凹部８１を形成するとともに、該凹部８１の中央に可動部材４２の回転軸Ｒｍを形成させる軸部４５を突設している。軸部４５は、筒状に形成された軸体９２を備えるとともに、軸体９２の内側面よりも内側の所定位置に、複数のボス５９を形成して構成されており、これらのボス５９は、それぞれその突端を軸部４５の軸体９２の突端よりも更に突出して形成されている。可動部材４２は、可動部材４２の裏面側でベース部材４１に次のように支持される。すなわち、可動部材４２は、軸部４５を軸受け５８に挿入し、ボス５９のうち軸体９２の突端よりも突出した部分を駆動ギア４６のボス受け穴６０に嵌合させることで、ベース部材４１に支持される。
【００４８】
（外延飾り部８０）
外延飾り部８０は、その基端８２側の端面を可動部材４２の凹部８２側に向けて露出させている。外延飾り部８０の形成数は特に限定されるものでなく、外延飾り部８０は１つ形成されても複数形成されてもよい。図７，図９等の例では、中心飾り部７９を挟んで２つの外延飾り部８０，８０を備えている。これら２つの外延飾り部８０，８０については、それぞれ第１外延飾り部８０ａ、第２外延飾り部８０ｂと呼ばれることがある。この例に示す第１外延飾り部８０ａ、第２外延飾り部８０ｂは、互いに回転軸Ｒｍを中心として１８０度の回転対称に構成されている。なお、可動部材４２の背面視上、可動部材４２における第１外延飾り部８０ａ、第２外延飾り部８０ｂ、及び両者に挟まれる中心飾り部７９の占める領域については、図９Ａにおいて、それぞれ斜線領域にて示す。符号Ｌｓｅｐは、中心飾り部７９と外延飾り部８０の境界である。
【００４９】
また、外延飾り部８０は、光透過性を有するとともに、図７，図９等に示すように、中心飾り部７９の外周端位置を基端８２として可動部材４２の回転軸Ｒｍから離れていく方向に向かって放射状に拡がる面部８３を形成している。第１外延飾り部８０ａ、第２外延飾り部８０ｂには、少なくとも一方に面部８３が形成され、好適には両方に面部８３が形成されている。
【００５０】
（基端８２）
可動部材４２は、外延飾り部８０の基端８２の輪郭形状を、基端８２が発光体４３の発光面４３ａから発せれた光が基端８２側の端面に垂直に入射するような形状として構成されていることが好ましい。例えば、図１４Ａに示すように可動部材４２の回転半径方向Ｒに沿って発光体４３から生じた光を進行させるように、複数の発光体４３がそれぞれの発光面４３ａを仕向けて配置されている場合、発光体４３で生じた光を基端８２側の端面に垂直に入射できるように外延飾り部８０の基端８２の輪郭形状を可動部材４２の回転軸Ｒｍを中心とする円弧状とされていることが、外延飾り部８０に入射する際の光の屈折をできるだけ抑制する点では、好ましい。ただし、このことは、図１４Ｂに示すように外延飾り部８０に光が入射する際に屈折光Ｒｅｗが生じるように外延飾り部８０の基端８２側の端面輪郭形状が形成されることを禁止するものではなく、すなわち、外延飾り部８０の基端８２側の端面輪郭形状については、光を外延飾り部８０内に導くことが可能な形状であれば、特に限定されるものではない。
【００５１】
（面部８３）
面部８３は、可動部材４２に入射される光の少なくとも一部を、外延飾り部８０の基端８２側の端面の法線方向に沿ってその端面からできるだけ遠ざかる方向に導くことが可能に形成される。このような面部８３は、たとえば、導光体からなる板材を所定形状に形成することで具体的に実現可能である。
【００５２】
面部８３は、広がり距離ｒをほぼ一定にして外側輪郭形状を略扇形に形成された扇状部８４を有している。ここに、広がり距離ｒは、可動部材４２の回転半径方向Ｒに沿った外側端と可動部材４２の回転軸Ｒｍとの距離を示すものであり、扇状部８４の外側輪郭形状を形成する円弧の半径となる。面部８３は、少なくとも１つの扇状部８４を備えていればよく、広がり距離ｒの異なる複数種類の扇状部８４を備えてもよい。
【００５３】
例えば、図９の例では、扇状部８４として、広がり距離の大きいものから第１扇状部８４ａ、第２扇状部８４ｂ、第３扇状部８４ｃという３種類が形成されている。このとき、第１扇状部８４ａ、第２扇状部８４ｂ、第３扇状部８４ｃについての外側輪郭形状を形成する円弧の半径（広がり距離ｒ）をそれぞれｒ１、ｒ２、ｒ３とした場合、ｒ１が最も大きく、ついでｒ２が大きく、ｒ３が最も小さい。図９に示す面部８３には、第１扇状部８４ａが１つ、第２扇状部８４ｂが２つ、第３扇状部８４ｃが２つ形成されており、計５つの扇状部８４が形成されている。第２扇状部８４ｂは、可動部材４２の回転方向に沿った両隣位置にて第１扇状部８４ａに連設されており、第３扇状部８４ｃは、可動部材４２の回転方向に沿った隣位置にて第２扇状部８４ｂに連設されている。このとき、第１扇状部８４ａと第３扇状部８４ｃの間に第２扇状部８４ｂが位置するように、第１扇状部８４ａ、第２扇状部８４ｂ、第３扇状部８４ｃが形成されている。また、第１扇状部８４ａと第２扇状部８４ｂの境界位置で、第１扇状部８４ａと第２扇状部８４ｂの内側端縁の位置が互いに揃っており、第２扇状部８４ｂと第３扇状部８４ｃの境界位置で、第２扇状部８４ｂと第３扇状部８４ｃの内側端縁の位置が互いに揃っている。
【００５４】
第１扇状部８４ａと第２扇状部８４ｂの境界位置、第２扇状部８４ｂと第３扇状部８４ｃの境界位置においては、可動部材４２の厚み方向に段差が形成されていてもよいし、段差が形成されずに第１扇状部８４ａと第２扇状部８４ｂや、第２扇状部８４ｂと第３扇状部８４ｃが滑らかに繋がっていてもよい。
【００５５】
（延出部８５）
面部８３は、扇状部８４に、その外周端縁を外方向に向かって延出されて延出部８５を形成していることが好ましい。面部８３が上記したような第１扇状部８４ａ、第２扇状部８４ｂ、第３扇状部８４ｃを有する場合には、少なくとも第１扇状部８４ａに延出部が形成されていることが、可動部材４２から遊技者に視認される発光のうち可動部材４２の回転軸Ｒｍから遠い位置の発光を一層目立たせることができる点で好適である。ただし、このことは、延出部８５が第２扇状部８４ｂや第３扇状部８４ｃに形成されていることを禁止するものではない。
【００５６】
延出部８５の形成パターンは、その外側輪郭形状を外方向に滑らかに突出した図９のような凸型曲線形状に形成されてなるパターンに限定されず、その外側輪郭形状を外方向に突出しつつもギザギザな形状や波型など適宜形状に形成されているパターンであってもよい。
【００５７】
なお、第１扇状部８４ａに延出部８５が形成されている場合、延出部８５の延出端位置が、可動部材４２の遠端位置Ｆにあたる。すなわち、図９Ｂの例では、延出部８５は、遠端位置Ｆに向かってなめらかな輪郭形状を呈しつつ突出している。このとき、延出部８５では、遠端位置Ｆでの曲率半径ＬＢ（曲率円の曲率中心Ｑ）が、可動部材の回転軸Ｒと遠端位置Ｆまでの距離ＬＡよりも小さくなっている。
【００５８】
（外延飾り部８０の材質）
外延飾り部８０の材質は、光透過性を有するものであれば特に限定されるものではないが、破損しにくく透明性のより高いものがより好適に選択され、この点で樹脂材料を好ましく選択される。
【００５９】
（傾斜面部７８）
可動部材４２は、外延飾り部８０に傾斜面部７８を備えられている。このとき、傾斜面部７８は、第１外延飾り部８０ａと第２外延飾り部８０ｂの少なくともいずれか一方に設けられていればよいが、両方に設けられていることが、可動部材４２全体としてより高い輝度で発光している感覚を遊技者に与えることが容易となって好ましい。
【００６０】
傾斜面部７８は、装飾体４０の平面視上、可動部材４２の外延飾り部８０の外周端に形成されていてもよいし、可動部材４２の外延飾り部８０の内部に形成されてもよい。
【００６１】
傾斜面部７８は、例えば、可動部材４２の所定位置に、可動部材４２の前後方向（厚み方向）に斜めに適宜切り欠いて傾斜面を形成することで具体的に形成可能である。ただし、この切り欠き形成された傾斜面には、少なくとも一部に横切り傾斜面７８ａをなす部分が形成されており、すなわち傾斜面部７８の少なくとも一部が横切り傾斜面７８ａとなっている。
【００６２】
（横切り傾斜面７８ａ）
横切り傾斜面７８ａは、可動部材４２の回転半径方向Ｒに沿った方向を斜めに横切る傾斜面である。このような横切り傾斜面７８ａは、傾斜面部７８の少なくとも一部を形成していればよく、傾斜面部７８の全体を形成していてもよい。
【００６３】
傾斜面部７８においては、横切り傾斜面７８ａは、可動部材４２の回転に応じて発光体４３から発せられた光の少なくとも一部の進路に交差するような位置に形成されている。なお、横切り傾斜面７８ａは、発光体４３が複数設けられている場合には、発光体４３の少なくとも一部について発せられた光の進路に交差するような位置に形成されていればよい。
【００６４】
図７の例では、傾斜面部７８の横切り傾斜面７８ａは、外延飾り部８０の外周端位置に設けられており、その外周端に沿った所定範囲に設けられている。
【００６５】
横切り傾斜面７８ａは、可動部材４２の回転に応じて進路の交差した交差光の少なくとも一部を反射して反射光を形成させるように形成されていれば、その形状や傾斜状態を適宜設定可能である。なお、交差光は、可動部材４２の回転に応じて発光体４３から発せられた光の進路上に横切り傾斜面７８ａが差しかかることで形成される。また、横切り傾斜面７８ａは、発光体４３が複数設けられている場合には、発光体４３の少なくとも一部について発せられた光の進路に交差して形成された交差光の一部を反射するように形成されていればよい。
【００６６】
（横切り傾斜面７８ａの形状）
横切り傾斜面７８ａの形状は、それを可動部材４２の回転面に沿った平面（図１０において平面α）で切断したときに認められる横断線８６が直線状になるように形成されていてもよいし、図１０に示すように、横断線８６が曲線状になるように形成されていてもよい。また、横切り傾斜面７８ａの形状は、それを可動部材４２の回転半径方向Ｒに沿って広がり且つ可動部材４２の外延飾り部８０の厚み方向に沿って広がる平面（図１０において平面β）で切断したときに認められる縦断線８７が、図１０に示すようにほぼ直線状になるように形成されていてもよいし、縦断線８７が曲線状になるように形成されていてもよい。
【００６７】
（横切り傾斜面７８ａの傾斜状態）
横切り傾斜面７８ａの傾斜状態は、上記したように適宜設定可能であるが、図１１Ａに示すように、横切り傾斜面７８ａの傾斜状態は、横切り傾斜面７８ａの法線Ｎと発光体４３から発せられた光（Ｌ（ｉｎ））の進行方向とがなす角度として定められる入射角度（η（度））が全反射角度（ηｃｒ）よりも大きい状態である、ことが好ましい。なお、図１１Ａ中、Ｌ（ｒｅ）は、反射光を示しており、Ｎｃｒ及びＬ（ｒｅ）ｃｒは、入射角度が全反射角度となるような場合を想定したときにおける横切り傾斜面７８ａのそれぞれ法線及び反射光を示す。
【００６８】
横切り傾斜面７８ａの法線は、その形状に応じて次のように特定される。横切り傾斜面７８ａが、上記した縦断線８７及び横断線８６が直線状であるように構成されている場合、この場合は、横切り傾斜面７８ａが、図１１Ａに示すように平面である場合となるが、横切り傾斜面７８ａの法線Ｎはその平面の法線であるものとする。横切り傾斜面７８ａが、上記した横断線８６が曲線状であり且つ縦断線８７が直線状であるように構成されている場合、この場合は、横切り傾斜面７８ａが図１１Ｂの例に示すような錐面となる場合となるが、横切り傾斜面７８ａの法線Ｎはその錐面上に選択された位置Ｐｏにおける接平面Ｋの法線であるものとする。
【００６９】
上記のほか、横切り傾斜面７８ａの縦断線８７が曲線状である場合には、横断線８６が直線と曲線のいずれであっても、横切り傾斜面７８ａが錐面である場合と同じく、図１１Ｃに示すように、横切り傾斜面７８ａの法線Ｎはその傾斜面上に選択された位置Ｐｏにおける接平面Ｋの法線であるものとする。横切り傾斜面７８ａの法線が傾斜面上に選択された位置における接平面の法線となる場合には、横切り傾斜面７８ａ上のどの位置においても、横切り傾斜面７８ａの法線と発光体から発せられた光の進行方向とがなす角度として定められる入射角度ηが全反射角度ηｃｒよりも大きいことがより好ましい。
【００７０】
傾斜面部７８を構成する横切り傾斜面７８ａは、反射光の輝度むらを効果的に抑制する点で、１種類の傾斜状態の傾斜面で構成されていることが好ましいが、これに限定されない。すなわち、傾斜面部７８は、上記互いに傾斜状態を異にする複数種類の横切り傾斜面７８ａを連接形成して横切り傾斜面群をなして構成されてよいし、これら複数種類の傾斜面７８ａをやや間隔をあけて並んで形成されて横切り傾斜面群をなして構成されてよい。具体的には、傾斜面部７８は、平面状に形成され互いに法線の向きを異にする複数種類の横切り傾斜面７８ａで形成されてよいし、錐面を除く曲面状に形成された横切り傾斜面７８ａと錐面状に形成する横切り傾斜面７８ａと平面状に形成された横切り傾斜面７８ａとからなる群から選択された２種類以上を適宜組み合わせて形成されてよい。
【００７１】
（横切り傾斜面７８ａの向き）
傾斜面部７８においては、横切り傾斜面７８ａの向きを特に限定されるものではないが、反射光の進行方向を可動部材４２の前面側に向かわせるように横切り傾斜面７８ａの向き定められていることが好ましい。この場合、反射光を直接遊技機１前面側に向かわせることができるため、２次反射や３次反射などによって遊技機１前面側に光を向かわせる場合に比べて傾斜面部７８を高い輝度で光らせた状態を形成することが容易となる。なお、この場合、傾斜面部７８では、可動部材４２の前面から裏面に向かってテーパー状に切り欠いて傾斜面が形成されて横切り傾斜面７８ａとなされている。
【００７２】
傾斜面部７８において、横切り傾斜面７８ａの向きが、反射光の進行方向を可動部材４２の後面側（ベース部材４１側）に向かわせるような向きとされている場合、横切り傾斜面７８ａの後方側に反射板などを配置して反射光の進行方向を可動部材４２の前面側に向かわせることが好ましい。
【００７３】
（横切り傾斜面７８ａの加工処理）
横切り傾斜面７８ａは、そこに入射する光の反射光をより確実に効果的に形成するべく、横切り傾斜面７８ａには、反射フィルムを貼付する加工処理が施されていてもよい。反射フィルムとしては、例えば銀製フィルムなどの金属フィルムを採用することができる。
【００７４】
（傾斜面部７８の形成位置）
上記したように傾斜面部７８は、可動部材４２の適宜位置に形成されてよいが、図７，図９等に示すように、後述の遠端縁部９１に、少なくとも形成されている、ことが好適である。このとき、可動部材４２の遠端縁部９１の少なくとも一部に横切り傾斜面７８ａが形成されて傾斜面部７８が構成される。ここで、上記したように横切り傾斜面７８ａは、可動部材４２の回転に応じて発光体４３から発せられた光の少なくとも一部の光路に交差することから、遠端縁部９１に形成された横切り傾斜面７８ａにも発光体４３から発せられた光の少なくとも一部が交差する。すると、交差した光の少なくとも一部は傾斜面部７８の横切り傾斜面７８ａで反射し、遊技機１前方側に向かう反射光となる。遠端縁部９１に形成された横切り傾斜面７８ａで形成された反射光は、可動部材４２の回転軸Ｒｍからより遠い位置で光っている状態の形成を実現し、遊技の演出時に可動部材４２が回転した際、遊技者に対してより広範囲を光らせることができ、よりインパクトのある遊技の演出を実現することが可能となる。
【００７５】
（遠端縁部９１）
遠端縁部９１は、可動部材４２の外縁に沿った所定の部分であり且つ可動部材４２のうち可動部材４２の回転軸Ｒｍから最も遠い遠端位置Ｆを含む部分で形成される部分である。図７，図９の例では、可動部材４２において、遠端位置Ｆは、外延飾り部８０の第１扇状部８４ａから延出形成された延出部８５の外周端縁部分に位置しており、遠端縁部９１は、外延飾り部８０に形成される面部８３のうち延出部８５の外周端縁部分として特定される。なお、延出部８５が形成されていない場合においては、遠端縁部９１は、外延飾り部８０の第１扇状部８４ａの外端縁部となり、さらに扇状部８４が１種類のみである場合には、遠端縁部９１は、扇状部８４の外端縁部となる。
【００７６】
なお、可動部材４２は、少なくとも遠端縁部９１に傾斜面部７８を形成している場合、図７，図９等に示すように延出部８５を形成されていることが好適である。この場合、傾斜面部７８は延出部８５の外周端縁に少なくとも形成されることなる。ところで、図９等の例では、既述したように、延出部８５は、遠端位置Ｆに向かってなめらかな輪郭形状を呈しつつ突出し、遠端縁部９１の遠端位置Ｆでの曲率半径ＬＢ（曲率円の曲率中心Ｑ）が、可動部材の回転軸Ｒと遠端位置Ｆまでの距離ＬＡよりも小さくなっている。可動部材４２にこのような延出部８５に定められた遠端縁部９１に傾斜面部７８が備えられていると、遊技の演出時に可動部材４２を高速で回転させたような際に、可動部材４２に延出部８５が形成されていない場合よりも一層太い環状に光っている部分が装飾体４０の外周端に形成されているような感覚を遊技者に付与することができる。
【００７７】
なお、傾斜面部７８は、遠端縁部９１に形成される場合、遠端縁部９１にのみ形成されてよいし、遠端縁部９１のみならず遠端縁部９１を除く他の所定位置にも形成されてよい。具体的に、図７，図９等に示す可動部材４２では、傾斜面部７８を構成する横切り傾斜面７８ａは、縁端縁部９１のみならず第２扇状部８４ｂ及び第３扇状部８４ｂの外側端縁にも形成されており、外延飾り部８０の面部８３の外端縁に沿って形成されている。
【００７８】
（飾り傾斜面７８ｂ）
傾斜面部７８は、横切り傾斜面７８ａにて形成されることが好適であるが、上記したように横切り傾斜面７８ａを少なくとも一部に有していれば、飾り傾斜面７８ｂを更に有して構成されていてもよい。飾り傾斜面７８ｂは、可動部材４２の前後方向（厚み方向）に対して斜めに横切る傾斜面であり且つ可動部材４２の回転半径方向Ｒに沿って伸びる傾斜面として形成されるものである。飾り傾斜面７８ｂは、可動部材４２の適宜位置に形成されてよく、例えば、外延飾り部８０の外周輪郭所定位置に形成されても、外延飾り部８０の内部に形成されてよい。
【００７９】
飾り傾斜面７８ｂは、可動部材４２の所定の部分を、可動部材４２の回転半径方向Ｒに沿い且つ可動部材４２の前後方向（厚み方向）に斜めに切り欠くことで形成される。
【００８０】
具体的に、図７，図９等に示すように、飾り傾斜面７８ｂは、外延飾り部８０の面部８３の外周輪郭において、第１扇状部８４ａ、第２扇状部８４ｂ及び第３扇状部８４ｃの側端縁部のうち可動部材４２の回転半径方向に延びる側端縁部に、その側端縁部に沿って外延飾り部８０の第１扇状部８４ａ、第２扇状部８４ｂ及び第３扇状部８４ｃの所定部分を斜め（可動部材４２の厚み方向に対して斜め）に切り欠いて形成されてよい。この例の場合、傾斜面部７８は、横切り傾斜面７８ａと飾り傾斜面７８ｂとを外延飾り部８０の外側輪郭に沿って交互に並ぶように形成して構成されることとなる。
【００８１】
図１４Ａ等に示すように、可動部材４２の背面視上、発光体４３が、そこから発せられる光を可動部材４２の回転半径方向Ｒに沿って外側に向かわせるように発光面４３ａを向けて基板４４に配置されている場合、飾り傾斜面７８ｂには、可動部材４２の回転に応じて発光体４３から発せられた光が殆ど到達せずに、発光体４３から発生した光のうち一部に生じうる回折光や散乱光等が到達可能である。そして、飾り傾斜面７８ｂに到達した光は、そこで反射して遊技機１前方に向かう反射光をなす。飾り傾斜面７８ｂで形成される反射光は、横切り傾斜面７８ａで形成される反射光よりも弱くなる可能性が大きい。したがって、可動部材４２の発光パターンとして、横切り傾斜面７８ａで形成された反射光と、その反射光よりも輝度の弱い光として飾り傾斜面７８ｂで形成された反射光とで、輝度差を形成した発光パターンを実現することができる。ただし、このことは、可動部材４２に飾り傾斜面７８ｂが形成される場合に、図１４Ｂに示すように、装飾体４０の正面視上、発光体４３が、そこから発せられた光を回転半径方向Ｒに対して所定角度を有して外側に向かうように発光面４３ａを向けて基板４４に配置されることを禁止するものではない。
【００８２】
（光拡散構造８９）
なお、可動部材４２には、光拡散構造８９が設けられていてもよい。光拡散構造８９は、光を拡散させる構造部であり、傾斜面部７８の前方に形成されて傾斜面部７８で形成された反射光を拡散する。図７，図９等の例では、光拡散構造８９は、外延飾り部８０の前面上で傾斜面部７８の前方側に形成されている。光拡散構造８９は、光を拡散させる構造を有するものであれば、適宜選択可能であり、例えば、突出小片９０を多数設けてなる突出小片群で構成されることができる。個々の突出小片９０は、可動部材４２の前面側から見た場合に、小判型の形状を呈している。このような突出小片で光拡散構造８９が構成されていることで、光拡散構造８９で反射光を拡散光としつつも、その拡散光が一様に四方八方に広がる光となってしまう虞が抑制されている。
【００８３】
なお、光拡散構造８９は、傾斜面部７８の横切り傾斜面７８ａの前方にのみ設けられてもよいし、傾斜面部７８に飾り傾斜面７８ｂが含まれている場合には、飾り傾斜面７８ｂの前方にも設けられてよい。
【００８４】
（装飾体４０の組み立て）
装飾体４０は、ベース部材４１に回転可能に可動部材４２を支持するように、ベース部材４１に可動部材４２を取り付けることで組み立てられる。このとき、発光体４３の位置は、装飾体４０の前後方向に、可動部材４２の外延飾り部８０の基端８２の位置に揃えられて、発光体４３の発光面４３ａが基端８２に向き合うようになっている。
【００８５】
（可動部材４２の発光機構）
装飾体４０において、発光体４３の発光面４３ａが基端８２に向き合うようになっている。可動部材４２の回転に応じて、発光体４３から発せられた光は、外延飾り部８０の基端８２に向かう。ここに可動部材４２の外延飾り部８０は、光透過性を有するため、基端８２に達した光は、外延飾り部８０の内部へと入りこむ。さらに、可動部材４２においては光の進路の少なくとも一部と傾斜面部７８とが交差することから、発光体４３から発せられて外延飾り部８０の内部に入り込んだ光の少なくとも一部は、外延飾り部８０の基端８２の位置から傾斜面部７８の位置まで導かれる。すなわち、発光体４３から発せられた光の少なくとも一部の進路は、可動部材４２の回転に応じて、外延飾り部８０の基端８２から外延飾り部８０の内部を通って傾斜面部７８に到るような進路となっているのである。
【００８６】
こうして発光体４３から発せられた光の一部が傾斜面部７８に到達すると、その光の少なくとも一部は傾斜面部７８の横切り傾斜面７８ａ等で反射して反射光となる。そして、その反射光が装飾体４０の外部に向かって進行することとなり、装飾体４０の可動部材４２のうち反射光の形成された部分が光っているような発光パターンを形成することが可能となる。そして、可動部材４２が回転することで、反射光の残像で円環状の光の軌跡が形成され、あたかも円輪状に光っているかのような感覚を遊技者に与えうるような発光パターンを実現することができる。しかも、その発光パターンは、可動部材４２の回転速度で極めて多様に制御することも可能であることから、遊技者にとって斬新な発光パターンを適宜に提供することが容易となる。
【００８７】
こうして、遊技機における発光演出を構成する発光パターンとして、上記したような発光パターンを新たに実現することが可能となることから、遊技機における新しい装飾態様の実現を可能とする装飾体４０を有する可動装飾装置１８を備えた遊技機１を得ることができるようになる。
【００８８】
なお、装飾体４０においては、傾斜面部７８から反射光を形成させるための光を発する発光体４３をはじめとした電子部品類は、ベース部材４１に収納される基板４４に設けられるため、電子部品自体を回転駆動させる必要性が抑制されている。また、装飾体４０においては、発光体４３を備えた基板４４自体を、電磁誘導などを用いて回転させる必要がないことから、電子部品の設置数の増加をも抑制されているうえ、構造の複雑化をも抑制されている。
【００８９】
（装飾体４０の他の使用）
可動装飾装置１８を有する遊技機１の装飾体４０の使用形態についてみるに、上記したように装飾体４０は、可動装飾装置１８を構成する部材として使用されていることが好適であるが、これに限らず、装飾体４０単独で可動装飾装置１８を除く遊技盤３の所定位置に取り付けられる前面装飾部材１４等として用いることも可能である。
【産業上の利用可能性】
【００９０】
本発明は、遊技機の演出性を向上させる用途で有益である。
【符号の説明】
【００９１】
１・・・遊技機、３・・・遊技盤、４・・・前枠、５・・・上球皿、６・・・下球皿、７・・・打球発射装置、９・・・開口部、１０・・・遊技板、１１・・・案内レール、１２・・・普通入賞装置、１３・・・障害釘、１４・・・前面装飾部材、１５・・・始動入賞装置、１６・・・開閉板、１７・・・アタッカー装置、１８・・・可動装飾装置、１９・・・図柄表示装置、１９ａ・・・画面、２０・・・センター役物、２１・・・センター役物の開口、２２・・・枠部材、２３ａ，２３ｂ，２３ｃ・・・飾り部材、２４・・・取り付けベース、２５・・・ベース体、２６・・・前ベースケーシング片、２７・・・可動体、２８・・・駆動ユニット、２９・・・駆動機構、３０・・・揺動アーム、３０ａ・・・揺動アームの先端、３１・・・支持軸部、３２・・・被支持部、３３・・・後ベースケーシング片、３４・・・中ベースケーシング片、３５・・・ギア収納部、３６・・・モーター、３７・・・係止突起、３８・・・係止突起、３９・・・弾性部材、４０・・・装飾体、４１・・・ベース部材、４２・・・可動部材、４３・・・発光体、４３ａ・・・発光体の発光面、４４・・・基板、４５・・・軸部、４６・・・駆動ギア、４７・・・伝達ギア、４８・・・ギアセット、４９・・・モーター、５０・・・可動部材駆動機構、５１・・・ケーシング、５２・・・前面ケーシング材、５３・・・後面ケーシング材、５４・・・センターケーシング片の開口部、５５・・・センターケーシング片、５６・・・前面ベースケーシング片の突出部、５６ａ・・・突出部の開口部、５７・・・前面ベースケーシング片、５８・・・軸受け、５９・・・ボス、６０・・・ボス受け穴、６１・・・駆動ギアの一方面、６２・・・駆動ギアの他方面、６３・・・被検知体、６４・・・検出手段、６５・・・検出ユニットベース、６６・・・検出ユニット、６７・・・ギア孔、６８・・・貫通孔、６９・・・シャフト、７０・・・固定部材、７１・・・発光体、７２・・・基板、７３・・・発光体、７４・・・ベース部材側光拡散構造、７５・・・縁端部、７６・・・リング部材、７７・・・リング部材、７８・・・傾斜面部、７８ａ・・・横切り傾斜面、７８ｂ・・・飾り傾斜面、７９・・・中心飾り部、８０・・・外延飾り部、８１・・・凹部、８２・・・外延飾り部の基端、８３・・・面部、８４・・・扇状部、８４ａ・・・第１扇状部、８４ｂ・・・第２扇状部、８４ｃ・・・第３扇状部、８５・・・延出部、８６・・・横断線、８７・・・縦断線、８８ａ，８８ｂ，８８ｃ・・・発光回路基板、８９・・・光拡散構造、９０・・・突出小片、９１・・・遠端縁部、９２・・・軸体
【図１】
0005931549.tif 000002
【図２】
0005931549.tif 000003
【図３】
0005931549.tif 000004
【図４】
0005931549.tif 000005
【図５】
0005931549.tif 000006
【図６】
0005931549.tif 000007
【図７】
0005931549.tif 000008
【図８】
0005931549.tif 000009
【図９】
0005931549.tif 000010
【図１０】
0005931549.tif 000011
【図１１】
0005931549.tif 000012
【図１２】
0005931549.tif 000013
【図１３】
0005931549.tif 000014
【図１４】
0005931549.tif 000015